(57)【要約】      （修正有）【課題】自転車の収納を狭小な面積で立体に収納し専用キーを使用することにより、ほとんど無人で２４時間操業できる。【解決手段】上下一対のチェインホイール３により駆動される前後２本のエンドレスチェイン４に、多数の自転車積載用台２を等間隔に懸垂して循環させるようにし、これを駆動する減速機付モーター５の電磁開閉器１５の操作回路７内の錠前２に、鍵８を差し込み廻してエンドレスチェイン循環用の減速機付モーター５を起動させる。積載台用リミットスイッチ１２を押し上げておくことにより、同番号の積載用台２が循環路の最低位置に来るとその底部の突起１３により、前記積載台用リミットスイッチ１２を蹴って操作回路７の通電を遮断して、動力回路の電磁開閉器１５を落として減速機付モーター５を停止させて、積載用台２を最低位置に停止させ自転車の乗り入れ、取り出しを行いうるようにした循環式自転車収納設備の構造。【選択図】図３
2010261289.tif 000002
【特許請求の範囲】
【請求項１】
上下一対のチェインホイール３により駆動される前後２本のエンドレスチェイン４に多数の自転車積載用台２を等間隔に懸垂して循環させるようにし、これを駆動する減速機付モーター５の電磁開閉器１５の操作回路７をそれぞれの積載用台２に対応するために同数並列して設け、この操作回路７と同番号の錠前２に、これ用の鍵８を差し込み廻して、その上のラック棒１０を横に移動させてこの操作回路７内の起動用リミットスイッチ１１を閉じて電磁開閉器１５の操作コイル１６を働かせて、この電磁開閉器１５によりエンドレスチェイン循環用の減速機付モーター５を起動させるようにし、そしてこの操作回路７の途中に介在させている電磁石１４の作動により同じ操作回路７内の常時通電している積載台用リミットスイッチ１２を押し上げておくことにより、同番号の積載用台２が、循環路の最低位置に来ると、その底部の突起１３により、前記積載台用リミットスイッチ１２を蹴って操作回路の通電を遮断して、動力回路１７の電磁開閉器１５を落として減速機付モーター５を停止させて積載用台２を最低位置に停止させ、このような操作回路７を各積載用台毎に同数設置することにより、どの積載用台２もそれ独自の鍵８の操作によって、循環させ最低位置に来たとき、自動的に停止させて自転車１の乗り入れ、取り出しを行いうるようにした循環式自転車収納設備の構造
【請求項２】
特許請求の範囲の請求項１に記載の循環式自転車収納設備において、錠前９に鍵８を差し込み廻して、その上のラック棒１０を横に移動させることにより扉作動用操作回路１９内の扉ロック用リミットスイッチ２１を働かせて、扉のロック棒２０を電磁石２２により引き抜き、扉１８を手動により開けうるようにした循環式自転車収納設備の扉の構造
【発明の詳細な説明】
【技術分野】
【０００１】  本発明は多数の積載用台をエンドレスチェインにより循環して、これに自転車を搭載し収納する設備に関するものである。
【発明の開示】
【発明が解決しようとする課題】
【０００２】  通常自転車の収納は平地において行っているが、駅前等ではその用地の取得が難しい、従って狭小な面積で立体に収納し、且  専用キーを使用することにより敏速に、且  盗難の恐れなく収納できる設備が求められている。
【課題を解決するための手段】
【０００３】  本発明は上下一対のチェインホイール３により駆動される前後２本のエンドレスチェイン４に多数の自転車積載用台２を等間隔に懸垂して循環させるようにし、これを駆動する減速機付モーター５の電磁開閉器１５の操作回路７をそれぞれの積載用台２に対応するために同数並列して設け、この操作回路７と同番号の錠前２に、これ用の鍵８を差し込み廻して、その上のラック棒１０を横に移動させてこの操作回路７内の起動用リミットスイッチ１１を閉じて電磁開閉器１５の操作コイル１６を働かせて、この電磁開閉器１５によりエンドレスチェイン循環用の減速機付モーター５を起動させるようにし、そしてこの操作回路７の途中に介在させている電磁石１４の作動により同じ操作回路７内の常時通電している積載台用リミットスイッチ１２を押し上げておくことにより、同番号の積載用台２が、循環路の最低位置に来ると、その底部の突起１３により、前記積載台用リミットスイッチ１２を蹴って操作回路７の通電を遮断して、動力回路１７の電磁開閉器１５を落として減速機付モーター５を停止させて積載用台２を最低位置に停止させる。【０００４】  このような操作回路７を各積載用台毎に同数設置することにより、どの積載用台２もそれ独自の鍵８の操作によって、循環させ最低位置に来たとき、自動的に停止させて自転車１の乗り入れ、取り出しを行いうるようにしたものである。【０００５】  又、錠前９に鍵８を差し込み廻して、その上のラック棒１０を横に移動させることにより扉ロック用リミットスイッチ２１を働かせて扉のロック棒２０を電磁石２２により引き抜き、扉１８を手動により開けうるようにした。
【発明の効果】
【０００６】  本発明の循環式自転車収納設備により、非常に便利な場所に駐輪することが可能になり使用者は鍵により専用の場所に保管できるため収納時間が短縮され、又盗難の恐れもなくなる。【０００７】  鍵の貸し出し業務以外ほとんど無人で２４時間操業が可能になる。
【発明の実施をするための最良の形態】
【０００８】  本発明の実施の一例として図１、図２及び図３に示すように上下一対のチェインホイール３により駆動される、前後２本のエンドレスチェイン４に多数の自転車積載用台２を等間隔に懸垂して循環させるようにし、この懸垂する多数の積載用台２に対し、同数の操作回路７を並列に設けて、どの操作回路７の作動によっても電磁開閉器の操作コイル１６を働かせるようにする。従って循環している多数の積載用台２の内ｎ番目の台を最低位置に止めたいときはｎ番目の操作回路７を操作するためｎ番目の錠前９にこれ用の鍵８を差し込み廻して、その上のラック棒１０を横に移動させｎ番目の操作回路７内の起動用リミットスイッチ１１を閉じて、電磁開閉器１５の操作コイル１６を働かせて、この電磁開閉器１５により、エンドレスチェイン循環用の減速機付モーター５を起動させる。そして、このとき、このｎ番目の操作回路７の途中に介在させている電磁石１４の作動のより同じ操作回路７内の常時通電している積載台用リミットスイッチ１２を押し上げておくことにより、ｎ番目の積載用台２が、循環路の最低位置に来ると、その底部の突起１３により前記積載台用リミットスイッチ１２を蹴って操作回路７の通電を遮断して、動力回路１７の電磁開閉器１５を落として減速機付モーター５を停止させ、従ってエンドレスチェイン４を停止させて、ｎ番目の積載用台２を最低位置に停止させる。
【０００９】  図４に示すように錠前９に鍵８を差し込み廻して、その上のラック棒１０を横に移動させることによりｎ番目の操作回路７内の起動用リミットスイッチ１１を閉じると同時に扉作動用操作回路１９内の扉ロック用リミットスイッチ２１も閉じて、この回路内の電磁石２２により扉１８のロック棒２０が引き抜かれて、扉１８は手動により開けることが出来るようになっている。
【００１０】  扉１８を開いて、自転車１を乗り入れ、又は取り出しした後、鍵８を引き抜くと扉ロック用リミットスイッチ２１は開かれて、電磁石２２により引き抜かれていたロック棒２０は押し出されている。従って扉１８を手で押して閉じると扉は自動的にロックされる。
【図面の簡単な説明】
【００１１】
【図１】本発明の循環式自転車収納設備の一例を示す、正面図
【図２】図１の側面図
【図３】本発明の循環式自転車収納設備の操作回路の説明図
【図４】本発明の循環式自転車収納設備の扉用操作回路の説明図
【符号の説明】
【００１２】１・・・自転車                        ２・・・自転車積載用台
３・・・チェインホイール              ４・・・エンドレスチェイン
５・・・減速機付モーター              ６・・・架台
７・・・モーター作動用操作回路        ８・・・鍵
９・・・錠前                          １０・・錠前上のラック棒
１１・・起動用リミットスイッチ        １２・・積載台用リミットスイッチ
１３・・積載台底部突起                １４・・積載台用リミットスイッチ用電磁石
１５・・モーター用電磁開閉器          １６・・電磁開閉器の操作コイル
１７・・モーター用動力回路            １８・・扉
１９・・扉作動用操作回路              ２０・・扉のロック棒
２１・・扉ロック用リミットスイッチ    ２２・・扉用電磁石
【図１】
2010261289.tif 000003
【図２】
2010261289.tif 000004
【図３】
2010261289.tif 000005
【図４】
2010261289.tif 000006